(57)【特許請求の範囲】
【請求項１】
三相交流電源との接続部から三相電動機に至る３相の給電回路の少なくとも２相に、位相制御可能なスイッチング素子を介装し、これらのスイッチング素子を要素としてソフトスタート手段を構成すると共に、これらのスイッチング素子をバイパスするバイパス回路と、バイパス回路の動作、非動作の切換手段と、上記給電回路の２相に接続した給電周波数検出手段と、給電周波数検出手段により検出した給電周波数により上記ソフトスタート手段と上記切換手段によりバイパス回路の動作を選択する制御手段とを構成し、上記各回路及び各手段の要素を、三相電動機の端子箱内に設置したことを特徴とする制御装置一体型の三相電動機。
【請求項２】
ソフトスタート手段は、給電回路の２相に接続した電圧ゼロクロス検出回路と、スイッチング素子の位相制御駆動回路を要素としたことを特徴とする請求項１に記載の制御装置一体型の三相電動機。
【請求項３】
スイッチング素子は給電回路の２相に介装し、制御手段は、２相の位相制御によりソフトスタート手段を制御する構成としたことを特徴とする請求項２に記載の制御装置一体型の三相電動機。
【請求項４】
ソフトスタート手段に、スイッチング素子の導通時間検出回路を設け、制御手段は、導通時間検出回路により検出した各スイッチング素子の導通時間が等しくなるように位相制御駆動回路を動作させる構成としたことを特徴とする請求項３に記載の制御装置一体型の三相電動機。
【請求項５】
端子箱の少なくとも一部の壁を外部放熱部として構成し、この壁の内側にスイッチング素子を取り付けたことを特徴とする請求項１〜４までのいずれか１項に記載の制御装置一体型の三相電動機。
【請求項６】
スイッチング素子がサイリスタ又はトライアックであり、バイパス回路の切換手段がリレーであることを特徴とする請求項１〜５までのいずれか１項に記載の制御装置一体型の三相電動機。
【請求項７】
三相電動機が、減速装置が組み込まれた冷却塔用ファン駆動用であることを特徴とする請求項１〜６までのいずれか１項に記載の制御装置一体型の三相電動機。
【請求項８】
三相電動機が誘導電動機であることを特徴とする請求項１〜７までのいずれか１項に記載の制御装置一体型の三相電動機。
【発明の詳細な説明】
【技術分野】
【０００１】
本発明は、例えば、減速装置が組み込まれた冷却塔用ファンの駆動用として使用する、制御装置一体型の三相電動機に関するものである。
【背景技術】
【０００２】
例えば冷却塔用ファンは、所定の回転速度を得るために、ベルトや歯車等による減速装置を組み込んで、汎用の三相電動機で運転することが広く行われている。この場合、三相電動機は、容量が７．５ｋＷ以下の場合には、商用３相交流電源に直入れで起動することが多く、起動時の衝撃や、ベルトのスリップによる騒音の発生、寿命の短縮化等の問題の要因となっている。
【０００３】
そこで、このような問題に対する対策として、例えばソフトスタータと称されて市販されている装置や、インバータ装置が、起動を緩やかに行うソフトスタート機能を有する三相電動機の駆動装置として利用されている。
【０００４】
このようなソフトスタート機能を有する三相電動機の駆動装置は従来から各種のものが提案されている。
【０００５】
例えば特許文献１には、三相交流電源から三相電動機に至る３相の給電回路の全てに位相制御可能なサイリスタやトライアック等のスイッチング素子を介装し、交流電源のゼロクロスポイントに同期した三角波信号を生成する三角波生成手段と、時系列に沿って変化する指令信号を生成する指令信号生成手段と、前記三角波信号と前記指令信号とのレベル比較に基づいた位相制御により上記スイッチング素子の導通制御を行う構成のソフトスタート制御装置が記載されている。
【０００６】
また特許文献２には、三相交流電源から三相電動機に至る３相の給電回路の２相にスイッチング素子を介装し、これらの２相のスイッチング素子を位相制御してソフトスタート制御を行う三相二線位相制御方式の制御装置が記載されている。
【０００７】
また特許文献３には、特許文献２と同様に三相交流電源から三相電動機に至る３相の給電回路の２相にスイッチング素子を介装し、これらの２相のスイッチング素子を位相制御してソフトスタート制御を行う装置において、各相間の不平衡電流の発生を抑制して安定な起動が行えるようにするために、２相給電回路に介装したスイッチング素子の点弧角がずれを生じるようにゲートトリガ信号を制御する演算手段を備え、線間電圧の不平衡量を低減しつつ三相電動機を緩やかに起動するようにした三相二線位相制御方式の制御装置が記載されている。
【０００８】
また特許文献４には、三相交流電源から三相電動機に至る３相の給電回路の全てにスイッチング素子を介装して始動器を構成すると共に、始動器をバイパスするバイパス回路を構成しており、始動器により位相制御された三相交流電源で三相電動機を始動・停止させ、定格回転時には電磁開閉器が閉じることにより始動器をバイパスするバイパス回路から供給される三相交流電源で三相電動機を駆動して、始動・停止時と定格回転時とで三相電動機への電源供給が切り替わる様にした三相電動機の駆動装置が記載されている。
【０００９】
更に特許文献５には、三相交流電源から三相電動機に至る３相の給電回路の全てにスイッチング素子を介装して構成した始動器を、モータ端子箱内に取付けると共に、スイッチング素子を冷却するための大掛かりな冷却装置を外部に設置した構成の始動機が記載されている。
【特許文献１】特許第３２７９１７３号公報
【特許文献２】特開２００３−４７２８９号公報
【特許文献３】特許第３９９８３９５号公報
【特許文献４】特開２０００−２０１４９０号公報
【特許文献５】特開平３−３６８５号公報
【発明の開示】
【発明が解決しようとする課題】
【００１０】
特許文献１〜４に示されるようなソフトスタート機能を利用するためには、従来は、ソフトスタート機能を有する駆動装置を収容するための新たな制御盤を設置したり、既存の制御盤内に装置を取付けるスペースが確保できたり、又は増設することができること等の条件を満たす必要があった。
【００１１】
また、特許文献５に示されるものでは、始動器をモータ端子箱内に取付けているため、新たな制御盤を設置したり、既存の制御盤内に装置を取付けるスペースを確保したり、又は増設する必要はないが、端子箱内の半導体デバイスには常時電流が流れる構成であるため、その冷却が必須であり、その結果、大掛かりな冷却装置を外部に設置するというように、全体として非常に大掛かりな構成となってしまう。
【００１２】
そこで本発明では、新たな制御盤を設置したり、既存の制御盤内に装置を取付けるスペースを確保したり、又は増設する必要がなく、大掛かりにならずに、容易に設置を行うことができる制御装置一体型の三相電動機を提供することを第１の課題としている。
【００１３】
一方、上述した冷却塔用ファン等においては、可変速運転を行うために、インバータ電源を用いることがあり、仮に、ソフトスタート機能を有する駆動装置を端子箱内に設置した制御装置一体型の三相電動機をインバータ電源に接続すると、インバータによる始動及びソフトスタート機能による始動のいずれの運転も正常には行えない。
【００１４】
そこで本発明では、接続した電源が、商用であっても、インバータ電源であっても正常に運転を行える制御装置一体型の三相電動機を提供することを第２の課題としている。
【課題を解決するための手段】
【００１５】
上述した課題を解決するために、本発明では、三相交流電源との接続部から三相電動機に至る３相の給電回路の少なくとも２相に、位相制御可能なスイッチング素子を介装し、これらのスイッチング素子を要素としてソフトスタート手段を構成すると共に、これらのスイッチング素子をバイパスするバイパス回路と、バイパス回路の動作、非動作の切換手段と、上記給電回路の２相に接続した給電周波数検出手段と、給電周波数検出手段により検出した給電周波数により上記ソフトスタート手段と上記切換手段によりバイパス回路の動作を選択する制御手段とを構成し、上記各回路及び各手段の要素を、三相電動機の端子箱内に設置した制御装置一体型の三相電動機を提案する。
【００１６】
また本発明では、上記の構成において、ソフトスタート手段が、給電回路の２相に接続した電圧ゼロクロス検出回路と、スイッチング素子の位相制御駆動回路を要素とすることを提案する。
【００１７】
また本発明では、上記の構成において、スイッチング素子を給電回路の２相に介装し、制御手段を、２相の位相制御によりソフトスタート手段を制御する構成とすることを提案する。
【００１８】
また本発明では、上記の構成において、ソフトスタート手段に、スイッチング素子の導通時間検出回路を設け、制御手段は、導通時間検出回路により検出した各スイッチング素子の導通時間が等しくなるように位相制御駆動回路を動作させる構成とした制御装置一体型の三相電動機を提案する。
【００１９】
また本発明では、上記の構成において、端子箱の少なくとも一部の壁を外部放熱部として構成し、この壁の内側にスイッチング素子を取り付けることを提案する。
【００２０】
また本発明では、上記の構成において、スイッチング素子がサイリスタやトライアック等の電力用半導体素子であり、バイパス回路の切換手段がリレーであることを提案する。
【００２１】
また本発明では、上記の構成において、三相電動機が、減速装置が組み込まれた冷却塔用ファン駆動用であることを提案する。
【００２２】
また本発明では、上記の構成において、三相電動機が誘導電動機であることを提案する。
【発明の効果】
【００２３】
本発明では、三相交流電源との接続部から三相電動機に至る上述した各回路及び各手段を三相電動機の端子箱内に設置したので、例えば冷却塔等における設置は、所定位置に設置した後、三相交流電源の給電線を端子箱内の接続端子に接続すれば良く、設置が非常に容易である。
【００２４】
電源をＯＮとして運転を開始すると、制御手段は、給電周波数検出手段により給電周波数を検出し、その周波数が商用交流電源の周波数か否かを判定し、商用交流電源の周波数の場合には、ソフトスタート手段の動作を選択し、バイパス回路を動作させない。
【００２５】
ソフトスタート手段が動作すると、３相の給電回路の少なくとも２相に介装されたスイッチング素子が位相制御されてソフトスタート動作による三相電動機の始動が行われ、三相電動機及び減速機に発生していた起動時の衝撃や、ベルトのスリップによる騒音の発生、寿命の短縮といった問題を抑制することができる。
【００２６】
ソフトスタート動作による始動が行われて定格回転に至ると、制御手段は、切換手段によりバイパス回路を動作させるため、以降、給電電流はバイパス回路を介してのみ流れて、スイッチング素子には流れない。従って、スイッチング素子は始動時のみ冷却を行えば良いので、端子箱内に実装しても十分な冷却を行うことは容易である。即ち、端子箱の少なくとも一部の壁を外部放熱部として構成し、この壁の内側にスイッチング素子を取り付けることにより、十分に良好な冷却を行うことができる。
【００２７】
一方、運転の開始時に、給電周波数検出手段により検出した給電周波数が商用交流電源の周波数でないと判定した場合には、制御手段は、バイパス回路の動作、非動作の切換手段を動作させてバイパス回路を動作させる。
【００２８】
この場合、三相電動機に接続した三相交流電源はインバータ電源であり、給電電流はバイパス回路とスイッチング素子を設けていない相の給電回路を流れて、スイッチング素子には流れないので、インバータによる始動動作と、ソフトスタート機能による始動動作が干渉することがなく、インバータによる正常な運転が行われる。
【００２９】
上述したとおり、サイリスタやトライアック等の電力用半導体素子によるスイッチング素子は、三相交流電源との接続部から三相電動機に至る３相の給電回路の少なくとも２相に介装すれば良いのであるが、端子箱内への設置という観点からは、３相の全てに介装するよりも、２相にのみ介装する方が有利であり、この場合には、制御手段は三相二線位相制御方式での制御を行う。
【００３０】
三相二線位相制御方式での制御においては、ソフトスタート手段に、スイッチング素子の導通時間検出回路を設け、制御手段は、導通時間検出回路により検出した各スイッチング素子の導通時間が等しくなるように位相制御駆動回路を動作させる構成とすれば、各相に流れる電流の不平衡を減少させて滑らかなソフトスタートを実現することができる。
【発明を実施するための最良の形態】
【００３１】
次に本発明に係る制御装置一体型の三相電動機の実施の形態を添付図面を参照して説明する。
まず図１は本発明に係る制御装置一体型の三相電動機を利用する装置の一例として、冷却塔の外観を示す斜視図であり、また図２は要部の拡大一部切欠斜視図である。
符号１は冷却塔を示すもので、この場合、冷却塔１は複数台が列設されて、運転台数を増減しての制御が可能となっている。冷却塔１の上部にはファン２を回転可能に支持したファンシリンダー３が設けられており、このファンシリンダー３にファン２の回転軸を回転させるベルト減速機４と回転駆動用の三相電動機５、この場合には三相電動機が設置されている。
【００３２】
冷却塔１は、空調設備や工業設備において発生した熱を大気に放散させる装置で、熱は、冷却水によって運ばれ、冷却塔１内でファン２によって得られた大量の大気と接触させてその熱を放散し、冷却された冷却水は再循環利用される。
【００３３】
冷却塔１の冷却能力は、大気と接触させてその熱を放散しているため、大気の温度が最も高くなる夏季が、最も条件が厳しく、このときの条件で選定され、大気温度が大幅に下がった場合や、熱負荷が下がった場合には冷却水温度が必要以上に下がり、過冷却となるため、冷却塔１の冷却性能を下げ冷却水温度を上げる方法として運転台数を減らす方法がある。運転台数減少により冷却水温度が高くなると運転台数を増し、冷却水温度が下がり過ぎると運転台数を減らすというＯＮ−ＯＦＦ運転が行なわれる。
【００３４】
図３は本発明に係る三相電動機５を示す斜視図、図４は正面図、図５は図４のＡ−Ａ線断面図であり、本発明に係る三相電動機５は、本体の横側に端子箱６を設けており、この端子箱６は蓋７を備えている。
【００３５】
本発明に係る三相電動機５では、この端子箱７内に三相交流電源との接続部８、この場合、接続端子から三相電動機５に至る後述する各回路及び各手段を端子箱６内に設置した構成であり、そこで次にこれらの各回路及び各手段を詳細に説明する。
【００３６】
図６は本発明に係る三相電動機５に適用する制御装置の実施の形態を示す系統図である。
符号８は上述したとおり、３相交流電源との接続部８である接続端子であり、この接続部８から三相電動機５に至る３相の給電回路９ｒ，９ｓ，９ｔの２相、この場合、Ｒ相、Ｔ相の給電回路９ｒ，９ｔに位相制御可能なスイッチング素子１０ｒ，１０ｔ、この実施の形態ではサイリスタを介装しており、これらのスイッチング素子１０ｒ，１０ｔと並列に、夫々に対応する接点部１１ｒ，１１ｔを備えたバイパスリレー１１を設けたバイパス回路１２ｒ，１２ｔを接続している。尚、スイッチング素子１０ｒ，１０ｔを介装する相は、Ｒ相、Ｔ相に限らず、適宜の２相で良い。また３相の全てにスイッチング素子を介装しても良い。
【００３７】
給電回路９ｒ，９ｓ，９ｔの３相の給電回路９ｒ，９ｓ，９ｔにスイッチング素子を介装した場合には、例えば上述した特許文献１に記載されているような三相三線位相制御方式を適用することができ、またこの実施の形態のように給電回路９ｒ，９ｓ，９ｔの２相、Ｒ相、Ｔ相の給電回路９ｒ，９ｔにのみ位相制御可能なスイッチング素子１０ｒ，１０ｔを介装した場合には、例えば上述した特許文献２や特許文献３に記載されているような三相二線位相制御方式を適用することができる。
【００３８】
符号１３は上記位相制御駆動回路に相当するスイッチング素子駆動回路、この場合、サイリスタ駆動回路であり、スイッチング素子１０ｒ，１０ｔは、このサイリスタ駆動回路１３からゲートトリガ信号を受けて位相制御される。また夫々のスイッチング素子１０ｒ，１０ｔには、両端電圧を検出して導通時間を検出するためのサイリスタ導通時間検出回路１４が接続されており、またＲ相、Ｓ相の給電回路９ｒ，９ｓには、それらの相間電圧の電圧ゼロクロス検出回路１５と、周波数検出回路１６が接続されており、これらのサイリスタ駆動回路１３、電圧ゼロクロス検出回路１５及び周波数検出回路１６は、制御手段１７としてのマイクロコンピュータに接続されている。また符号１８はバイパスリレー１１を動作させて接点部１１ｒ，１１ｔを開閉するバイパスリレー開閉回路であり、また２０は電流検出部１９によりＳ相の給電回路９ｓの電流を検出する電流検出回路であり、これらのバイパスリレー開閉回路１８と電流検出回路２０も制御手段１７としてのマイクロコンピュータに接続されている。
【００３９】
本発明では、以上の各回路及び各手段を端子箱６内に設置するのであり、それらを構成する要素や回路を回路基板２１として構成することができる。図５に示すように、端子箱６の一部の壁、この場合、三相電動機５の軸方向と同方向の側壁に放熱フィン２２を設けて、この側壁を外部放熱部とし、ここにスイッチング素子１０ｒ，１０ｔ、例えばサイリスタモジュールを固定している。
【００４０】
以上の構成において、本発明に係る三相電動機５は、例えば上記冷却塔１のファンシリンダー３のベルト減速機４の所定個所に固定した後、三相交流電源の給電線を端子箱６内の接続端子８に接続すれば良く、設置が非常に容易である。尚、符号２４は給電線を端子箱６内に引き込むための支持筒体である。
【００４１】
以上の構成において電源をＯＮとして三相電動機５の運転を開始すると、制御手段１７は、給電周波数検出回路１６により給電周波数を検出し、その周波数が商用交流電源の周波数か否かを判定し、商用交流電源の周波数、即ち５０Ｈｚ又は６０Ｈｚの場合には、ソフトスタート始動の動作を選択し、バイパス回路動作させない。即ち、制御手段１７は、バイパスリレー開閉回路１８はバイパスリレー１１の接点部１１ｒ，１１ｔを開状態に維持すると共に、上記電圧ゼロクロス検出回路１５、サイリスタ導通時間検出回路１４及びスイッチング素子駆動回路１３から成るソフトスタート手段２５により、２相のスイッチング素子１０ｒ，１０ｔを位相制御してソフトスタート動作による三相電動機５の始動を行う。
【００４２】
上述したとおり、２相のスイッチング素子１０ｒ，１０ｔを位相制御は、特許文献３に記載されているような手法、即ち、ソフトスタート動作における電圧不平衡を減少させるため、線間電圧の積分値から最適な制御パターンを導出し、この制御パターンに従って、２相の点弧角をずらしてソフトスタート動作を行う手法を適用することもできるが、本発明の実施の形態では、サイリスタ導通時間検出回路１４により、各相のスイッチング素子１０ｒ，１０ｔの導通時間を検出して、それらの導通時間が制御周期毎に等しくなるように制御することにより、特定の制御パターンを必要とせずに電圧不平衡を減少させるものである。
【００４３】
この本発明の実施の形態に係るソフトスタート動作を、特許文献３の手法における制御パターンを参照して説明する。
まず図７は特許文献３の手法における制御パターンを示すものであり、図中の黒丸が単位時間毎の夫々の相のスイッチング素子の点弧角を示すもので、これらの黒丸の点弧角に沿って、点弧角１８０°から点弧角０°まで移行させてソフトスタートを行うものである。
また図８〜図１２は、図７のＡ，Ｂ，Ｃ，Ｄ，Ｅ点の点弧角の条件における各相、Ｒ相、Ｔ相のスイッチング素子１０ｒ，１０ｔの電流波形、即ち、導通状態を示すものであり、夫々実線がＲ相電流、破線がＴ相電流である。
【００４４】
Ｒ相、Ｔ相の点弧角が１２０°（Ａ点）の状態を示す図８を参照すると、Ｒ相、Ｔ相の点弧角が１８０°〜１２０°までの区間では、両者の点弧角を同一としても各々の導通時間は等しくなることが分かる。
【００４５】
しかしながらＲ相、Ｔ相の点弧角が夫々９０°（Ｂ点）の状態を示す図９を参照すると、Ｒ相、Ｔ相の点弧角が１２０°から９０°に移行する区間では、両者の点弧角を同一とすると、導通時間に差が生じ始め、Ｂ点では、導通時間に３０°分の差が生じることが分かる。
【００４６】
一方、Ｒ相、Ｔ相の点弧角が夫々９０°、６０°（Ｃ点）の状態を示す図１０を参照すると、Ｒ相の点弧角が９０°を維持し、Ｔ相の点弧角が９０°から６０°に移行する区間では、導通時間の差が次第に小さくなり、Ｃ点では、夫々の導通時間が等しくなることが分かる。
【００４７】
更に、Ｒ相、Ｔ相の点弧角が夫々６０°、３０°（Ｄ点）の状態を示す図１１を参照すると、Ｒ相の点弧角が９０°から６０°、Ｔ相の点弧角が６０°から３０°に移行する区間では、次第に導通時間に差が生じ始め、Ｄ点では、導通時間に３０°分の差が生じることが分かる。
【００４８】
一方、Ｒ相、Ｔ相の点弧角が夫々６０°、０°（Ｅ点）の状態を示す図１２を参照すると、Ｒ相の点弧角が６０°を維持し、Ｔ相の点弧角が３０°から０°に移行する区間では、導通時間の差が次第に小さくなり、Ｅ点では、夫々の導通時間が等しくなると共に、それ以降、Ｒ相、Ｔ相の点弧角がいずれも０°になるまで夫々の導通時間が等しくなることが分かる。
【００４９】
そこで本発明に係る実施の形態では、ソフトスタート動作において点弧角を次第に小さくする際、サイリスタ導通時間検出回路１４により、各相のスイッチング素子１０ｒ，１０ｔの導通時間を検出して、それらの導通時間が制御周期毎に等しくなるように制御するので、Ｒ相、Ｔ相の点弧角がいずれも１８０°の点からは図中実線に沿ってＡ点に至った後、Ａ点からは図中破線の軌跡を通ってＣ点に至り、次いで図中破線の軌跡を通ってＥ点に至った後、実線に沿ってＲ相、Ｔ相の点弧角がいずれも０°の点に至る。Ａ点からＥ点までの推移を説明すると、まず、Ａ点からＣ点までは、Ｒ相の点弧角の操作量に対して、Ｔ相の点弧角の操作量が２倍で推移。次いでＣ点からＥ点に推移する際、Ｔ相の点弧角が６０°よりも小さくなると、Ｒ相の導通時間が瞬時に３０°分長くなるため、Ｔ相はそれに追従するために、当初は、点弧角の操作量が大きく変化する。
【００５０】
上記特許文献３に示されるように、特定の制御パターンによって点弧角を制御するのでは、ある点弧角では一方の相側の点弧角の変更操作を停止し、もう一方の相側の点弧角のみを操作する区間が発生するのであり、一方の相側の点弧角の操作を停止したまま、もう一方の相側の点弧角を操作する時点で、最適な値からは外れてしまう。
【００５１】
しかしながら本発明に係る実施の形態では、各相の点弧角の操作を、制御周期毎に導通時間が等しくなるように制御するので、一方の相側の操作が停止することはなく、常時、不平衡を減少させる動きをするため、非常に滑らかなソフトスタート動作が実現されるものである。
【００５２】
次に、上述した運転の開始時に、周波数検出回路１６により検出した給電周波数が商用交流電源の周波数でないと判定した場合には、制御手段１７は、バイパスリレー開閉回路１８により、バイパスリレー１１の各接点部１１ｒ，１１ｔを閉としてバイパス回路１２ｒ，１２ｔを動作させる。
【００５３】
この場合、三相電動機５の接続部８に接続した三相交流電源はインバータ電源であるが、この３相交流電源からの給電電流はバイパス回路１２ｒ，１２ｔと、スイッチング素子１０ｒ，１０ｔを介装していない給電回路９ｓを流れて、スイッチング素子１０ｒ，１０ｔには流れないので、インバータによる始動動作と、ソフトスタート機能による始動動作が干渉することがなく、インバータによる正常な運転、即ち、ソフトスタート動作からの通常運転動作までの一連の動作が行われる。
【００５４】
本発明では、制御装置を端子箱内に収容して一体化していると共に、三相電動機５に接続した３相交流電源が商用電源では勿論のこと、インバータ電源であっても正常な動作が行われるので、非常に容易に設置を行うことができ、非常に使いやすい制御装置一体型の三相電動機を提供することができる。
【産業上の利用可能性】
【００５５】
本発明の制御装置一体型の三相電動機は、減速装置が組み込まれた冷却塔用ファンの駆動用として最適であるが、他の適宜の用途に利用可能性が大である。
【図面の簡単な説明】
【００５６】
【図１】本発明に係る制御装置一体型の三相電動機を利用する装置の一例として、冷却塔の外観を示す斜視図である。
【図２】要部の拡大一部切欠斜視図である。
【図３】本発明に係る三相電動機５を示す斜視図である。
【図４】本発明に係る三相電動機５を示す正面図である。
【図５】図４のＡ−Ａ線断面図である。
【図６】本発明に係る三相電動機５に適用する制御装置の実施の形態を示す系統図である。
【図７】本発明の実施の形態におけるソフトスタート動作を制御パターンによる動作と比較して示す説明図である。
【図８】図７のＡ点における各相の電流波形を示す説明図である。
【図９】図７のＢ点における各相の電流波形を示す説明図である。
【図１０】図７のＣ点における各相の電流波形を示す説明図である。
【図１１】図７のＤ点における各相の電流波形を示す説明図である。
【図１２】図７のＥ点における各相の電流波形を示す説明図である。
【符号の説明】
【００５７】
１                    冷却塔
２                    ファン
３                    ファンシリンダー
４                    ベルト減速機
５                    三相電動機（三相誘導電動機）
６                    端子箱
７                    蓋
８                    接続部（接続端子）
９ｒ，９ｓ，９ｔ      給電回路
１０ｒ，１０ｔ        スイッチング素子
１１ｒ，１１ｔ        接点部
１１                  バイパスリレー
１２ｒ，１２ｔ        バイパス回路
１３                  位相制御駆動回路（サイリスタ駆動回路）
１４                  サイリスタ導通時間検出回路
１５                  電圧ゼロクロス検出回路
１６                  周波数検出回路（手段）
１７                  制御手段（マイクロコンピュータ）
１８                  バイパスリレー開閉回路
１９                  電流検出部
２０                  電流検出回路
２１                  回路基板
２２                  放熱フィン
２３                  外部放熱部
２４                  支持筒体
２５                  ソフトスタート手段
【図１】
0005419388.tif 000002
【図２】
0005419388.tif 000003
【図３】
0005419388.tif 000004
【図４】
0005419388.tif 000005
【図５】
0005419388.tif 000006
【図６】
0005419388.tif 000007
【図７】
0005419388.tif 000008
【図８】
0005419388.tif 000009
【図９】
0005419388.tif 000010
【図１０】
0005419388.tif 000011
【図１１】
0005419388.tif 000012
【図１２】
0005419388.tif 000013